(57)【要約】【課題】機密保持に関する使い勝手を向上させた、好適な表示装置を提供すること。【解決手段】表示装置において、複数の人数に情報を表示する手段と、表示する情報に機密情報が含まれているかを判定する手段と、該判定手段の結果が機密情報であった場合に外表示手段での情報の表示を禁止するよう制御する手段と、を備えた。【選択図】        図２
2004185568.tif 000002
【特許請求の範囲】
【請求項１】
複数の人数に情報を表示する手段と、
表示する情報に機密情報が含まれているかを判定する手段と、
該判定手段の結果が機密情報であった場合に該表示手段での情報の表示を禁止するよう制御する手段と、
を備えたことを特徴とする表示装置。
【請求項２】
前記判定手段は、表示する情報に機密属性が付加されているかを判定することを特徴とする請求項１記載の表示装置。
【請求項３】
前記判定手段は、表示する情報を検索して機密を意味する語句が含まれていた場合に機密情報であると判定することを特徴とする請求項１記載の表示装置。
【請求項４】
パターンマッチングする手段とをさらに備え、前記判定手段は、表示する情報をパターンマッチングして機密を意味する語句やパターンが含まれていた場合に機密情報であると判定することを特徴とする請求項１記載の表示装置。
【請求項５】
複数の人数に情報を表示するステップと、
表示する情報に機密情報が含まれているかを判定するステップと、
該判定ステップの結果が機密情報であった場合に該表示ステップでの情報の表示を禁止するよう制御するステップと、
を備えたことを特徴とする表示方法。
【請求項６】
前記判定ステップは、表示する情報に機密属性が付加されているかを判定することを特徴とする請求項５記載の表示方法。
【請求項７】
前記判定ステップは、表示する情報を検索して機密を意味する語句が含まれていた場合に機密情報であると判定することを特徴とする請求項５記載の表示方法。
【請求項８】
パターンマッチングするステップとをさらに備え、前記判定ステップは、表示する情報をパターンマッチングして機密を意味する語句やパターンが含まれていた場合に機密情報であると判定することを特徴とする請求項５記載の表示方法。
【発明の詳細な説明】
【０００１】
【発明の属する技術分野】
本発明は、プレゼンテーションに用いる表示装置及び表示方法に関する。
【０００２】
【従来の技術】
従来より、プレゼンテーションを行なう場合に、オーバーヘッドプロジェクタやコンピュータと接続したプロジェクタディスプレイが広く使われている。コンピュータのプレゼンテーションソフトウェアでデータイメージを作成してプロジェクタディスプレイに転送し、外部に投射することでデータイメージの表示を行なっている。
【０００３】
また、情報の閲覧を制限する方法として、以下の方法が提案されている。
【０００４】
（１）多くのコンピュータでは、操作を始める際にユーザＩＤとパスワードを要求するように設定することが可能である。
【０００５】
（２）Ａｄｏｂｅ社のアプリケーションソフト「Ａｃｒｏｂａｔ」では、データファイルを閲覧する際にパスワードを要求するように設定できる。
【０００６】
（３）下記、特許文献１では、ネットワークで提供される情報に付属データを付けて、利用者や場所などで使用を制限する例が開示されている。
【０００７】
【特許文献１】
特開平０９−１６０８９９号公報
【０００８】
【発明が解決しようとする課題】
しかしながら、上記従来例では、機器の操作者本人の資格でしか閲覧制限を行なえない、という欠点があった。すなわち、多くの聴衆が閲覧する可能性がある場合でも、操作者本人に情報アクセスの資格があれば、全員の閲覧が可能となってしまう。こうした場合の全員の閲覧を許可するか否かは、操作者本人の判断に依存していた。アクセス資格がない聴衆に見せてしまうという操作者のうっかりミスの可能性もあり、機密保持を確実に行なうことは非常に困難であった。
【０００９】
本発明は上述の問題点に着目してなされたものであって、機密保持に関する使い勝手を向上させた、好適な表示装置及び表示方法を提供することを目的とする。
【００１０】
【課題を解決するための手段】
上記目的を達成するために本発明の表示装置は以下の（１）〜（４）の構成からなり、表示方法は（５）〜（８）の構成からなる。
【００１１】
（１）複数の人数に情報を表示する手段と、
表示する情報に機密情報が含まれているかを判定する手段と、
該判定手段の結果が機密情報であった場合に該表示手段での情報の表示を禁止するよう制御する手段と、
を備えた表示装置。
【００１２】
（２）前記判定手段は、表示する情報に機密属性が付加されているかを判定する上記（１）記載の表示装置。
【００１３】
（３）前記判定手段は、表示する情報を検索して機密を意味する語句が含まれていた場合に機密情報であると判定する上記（１）記載の表示装置。
【００１４】
（４）パターンマッチングする手段とをさらに備え、前記判定手段は、表示する情報をパターンマッチングして機密を意味する語句やパターンが含まれていた場合に機密情報であると判定する上記（１）記載の表示装置。
【００１５】
（５）複数の人数に情報を表示するステップと、
表示する情報に機密情報が含まれているかを判定するステップと、
該判定ステップの結果が機密情報であった場合に該表示ステップでの情報の表示を禁止するよう制御するステップと、
を備えた表示方法。
【００１６】
（６）前記判定ステップは、表示する情報に機密属性が付加されているかを判定する上記（５）記載の表示方法。
【００１７】
（７）前記判定ステップは、表示する情報を検索して機密を意味する語句が含まれていた場合に機密情報であると判定する上記（５）記載の表示方法。
【００１８】
（８）パターンマッチングするステップとをさらに備え、前記判定ステップは、表示する情報をパターンマッチングして機密を意味する語句やパターンが含まれていた場合に機密情報であると判定する上記（５）記載の表示方法。
【００１９】
係る本発明の構成において、聴衆に表示するデータが機密情報であるかを判定し、機密情報である場合は表示を禁止する、という動作を行なう。
【００２０】
【発明の実施の形態】
以下、添付図面を参照して、本発明に係る好適な実施例を詳細に説明する。
【００２１】
【実施例１】
本実施例では、プロジェクタなどを用いて複数の人数にデータ表示を行なう装置において、聴衆に表示するデータに機密属性が付加されているかを判定し、機密情報である場合は表示を禁止する、という動作を行なう。
【００２２】
＜表示装置の全体構成（図２）＞
図２のブロック図を用いて、表示装置の構成を説明する。
【００２３】
本実施例の表示装置は、プロジェクタと接続することで大画面表示が可能な携帯情報端末である。図中、携帯情報端末１において、２は装置全体の制御を行うＣＰＵであり、メモリ部３に格納されたプログラムに従って、撮影制御、各種演算、Ｉ／Ｏ制御などの処理を実行する。メモリ部３は、ＲＡＭやＲＯＭなどで構成され、ＣＰＵ２の制御プログラムやワークデータなどを格納する。また、後述する液晶ディスプレイ（ＬＣＤ）１０やプロジェクタディスプレイ１３に表示する画像を格納するためのＶＲＡＭとしても機能する。ハードディスクや光磁気ディスク、ＣＤ−ＲＯＭ、ＣＤ−ＲＷ、ＤＶＤ−ＲＯＭなどの二次記憶装置が含まれていてもよい。４は拡張カード（拡張カードスロット）であり、拡張メモリや機能Ｉ／Ｏカードなどが挿入できる。ＰＣＭＣＩＡやＣＦ、ＳＤ、ＭＭＣなど任意の規格のＩＣカードが使用可能である。５は拡張カードインタフェースであり、拡張カードスロット４に挿入されたＩＣカードの制御を行なう。６は通信インタフェースであり、外部のネットワークや機器と接続する。ブルートゥースや８０２．１１ｂなどの無線ＬＡＮ、Ｅｔｈｅｒｎｅｔ（Ｒ）などの有線ＬＡＮ、公衆回線接続などでネットワークと接続する。外部機器に対してはＵＳＢやＩＥＥＥ１３９４、ＲＳ２３２Ｃなど各種規格のインタフェースで接続する。７はキーボードインタフェースであり、オプションとして接続されたキーボードからキーデータの入力を行なう。８は抵抗膜方式タブレットなどを利用したデジタイザである。相対する面に抵抗膜を蒸着したポリエチレンフィルム（ＰＥＴ）とガラスで構成され、ＰＥＴ上の押圧された位置が検出できる。これを液晶ディスプレイ１０上に重ね合わせることで、入出力一体型のユーザインタフェースを構成することができる。９はデジタイザ制御部であり、デジタイザ８を駆動して、ユーザが押圧した点を座標データに変換して出力する。抵抗膜の駆動回路、切替回路、Ａ／Ｄコンバータなどで構成される。１０は液晶ディスプレイであり、装置内の各種データの表示を行なう。プロジェクタ表示を行なう場合の画像イメージや、装置制御を行なうためのソフトウェアスイッチも表示される。１１は液晶ディスプレイ表示制御部であり、液晶ディスプレイ１０を動作させるための信号を生成する。１２はプロジェクタ表示制御部であり、外部のプロジェクタディスプレイ１３を動作させるための信号を生成する。ビデオ入出力用のコンポジット信号やＲＧＢ信号で画像イメージを送出する。また、音声データをアナログライン出力の形式で送出することも可能である。１３はプロジェクタディスプレイであり、投射型その他の方式で大画面に画像の表示を行なう。１４はプロジェクタに表示するためのデータファイル（プレゼンテータ）である。文書作成や表計算、プレゼンテーション資料作成などの各種アプリケーションで作成したデータを使用することができる。
【００２４】
＜データファイルの構成（図３）＞
図３はデータファイルの構成を示す図であり、同図を用いてデータファイルに機密属性を付加する方法について説明を行なう。図中、３０は、データファイル本体を表す。３１はファイルヘッダであり、ファイル形式やサイズ、作成者や作成日時などの情報が格納されている。３３はプレゼンテーション資料や画像などのデータ本体である。３２は機密属性である。データに機密情報がない場合は「一般表示許可」を表す値を書き込む。一方で、機密情報を含む場合は、「機密情報」を表す値を書き込む。
【００２５】
＜プロジェクタ表示処理の説明（図１）＞
図１のフローチャートを用いてプロジェクタ表示処理の流れを説明する。画面送りなどで新たなデータの表示が要求されたときに、データに機密属性が付加されているかを判定し、機密情報である場合は表示を禁止する、という処理を行なう。
【００２６】
処理の詳細を説明すると、新たな画面の表示が要求された場合に、ステップＳ１０１では、次に表示すべきデータをメモリ３から読み出す。ステップＳ１０２では、読み出した表示データを解析し、機密属性３２を取り出す。ステップＳ１０３では、機密属性３２の値が「一般表示許可」であるか判定し、肯定であればステップＳ１０４へ、否定であればステップＳ１０５へ進む。ステップＳ１０４では、ＬＣＤ１０とプロジェクタディスプレイ１３にデータ本体３３の表示を行なって、処理を終了する。ステップＳ１０５は、データに機密情報が含まれていて表示が許可されない場合の処理である。ここでは、ＬＣＤ１０にデータ本体３３を表示する一方で、プロジェクタディスプレイ１３には機密データの代わりにダミーデータを表示して、処理を終了する。
【００２７】
＜表示画面例の説明（図４、５）＞
図４と図５を用いて、プロジェクタ表示を行なう場合の表示画面例の説明を行う。
【００２８】
図４は、機密属性が「一般表示許可」のデータを表示しようとしたときの、ＬＣＤ画面とプロジェクタ画面の例を示す図である。図４（ａ）は、ＬＣＤ１０上の表示画面である。図中、４０はＬＣＤ画面全体を表し、４１はプレゼンテーションデータ本体である。４２から４４は画面上に表示されたボタンである。ボタン４２が押された場合は一画面戻し、ボタン４３が押された場合は終了、ボタン４４が押された場合は一画面進める動作を行なう。図４（ｂ）は、プロジェクタ画面の表示例を表す。一般表示が許可されているため、ＬＣＤ画面と同じデータが４５で示すようにプロジェクタ上に表示される。
【００２９】
図５は、機密属性が「機密情報」のデータを表示しようとしたときの、ＬＣＤ画面とプロジェクタ画面の例を示す図である。図５（ａ）は、ＬＣＤ１０上の表示画面である。５１は機密情報を含むプレゼンテーションデータ本体であり、ＬＣＤ１０には表示が行なわれる。同時に、５２に示すように機密情報であることを警告するメッセージが表示される。図５（ｂ）はプロジェクタ画面の表示例を表す。機密属性３２で表示が禁止されているため、５４で示すようにダミーデータがプロジェクタ上に表示される。
【００３０】
以上のように、データに機密情報が含まれている場合は表示を禁止することができる。
【００３１】
なお、図５（ａ）のように、解除ボタン５３を設けておき、これを押すことで表示禁止を解除するようにしてもよい。
【００３２】
以上説明したように本実施例によれば、聴衆に表示するデータの属性が機密情報であるかを判定して機密情報であった場合は表示を禁止することで、うっかりと機密文書を表示するといったミスをなくすことができる。これによって、機密情報管理をより容易に行なうことが可能となる。
【００３３】
なお、本発明は前述の実施例に限定されることなく、広く応用することができる。
【００３４】
例えば、機密属性の値として、機密レベルを複数段階設定し、それぞれに応じた値を書き込むことも可能である。この場合、付加可能な属性値の一覧を表示して、表示禁止する属性を個別に指定できるようにしてもよい。
【００３５】
また、表示を禁止する単位は、データファイル単位でもよいし、個々の画面単位であってもよい。画面内の一部領域であってもよい。この場合は該当領域にダミーデータを合成して表示するようにしてもよい。
【００３６】
【実施例２】
前述の実施例では、聴衆に表示するデータに機密属性が付加されているかを判定して機密情報である場合は表示を禁止する処理について説明を行なった。しかし、データに新たな属性を付加できない場合がある。例えば、特定のアプリケーションでファイル形式が厳密に標準化されている場合などである。本実施例では、表示しようとするデータを検索して、機密を意味する語句が含まれていた場合に機密情報であると判定する例について説明を行なう。
【００３７】
＜装置全体の構成（図７、８）＞
図７は、本実施例の表示装置の構成を示すブロック図である。本実施例の装置は、実施例１とほぼ同様であるので、同一の要素には同一の番号を付し、説明は省略する。本実施例は、メモリ３の中に、機密語句テーブル１５を含む。機密語句テーブル１５の構成は、図８に示すとおりである。機密語句テーブル１５は、「秘密」や「Ｓｅｃｒｅｔ」といったような機密であることを示す語句が格納されている。
【００３８】
＜プロジェクタ表示処理の説明（図６）＞
次に、図６のフローチャートを用いてプロジェクタ表示処理の流れを説明する。画面送りなどで新たなデータの表示が要求されたときに、データに機密を示す語句が含まれているかを検索し、含まれている場合は表示を禁止する、という処理を行なう。
【００３９】
処理の詳細を説明すると、新たな画面の表示が要求された場合に、ステップＳ２０１では、次に表示すべきデータをメモリ３から読み出す。ステップＳ２０２では、読み出した表示データの中に、機密語句テーブル１５に登録された語句があるかを検索する。ステップＳ２０３では、機密語句テーブル１５の語句が含まれていたかを判定し、肯定であればステップＳ２０４へ、否定であればステップＳ２０５へ進む。ステップＳ２０４では、ＬＣＤ１０とプロジェクタディスプレイ１３にデータ本体３３の表示を行なって、処理を終了する。ステップＳ２０５は、データに機密情報が含まれていて表示が許可されない場合の処理である。ここでは、ＬＣＤ１０にデータ本体を表示する一方で、プロジェクタディスプレイ１３には機密データの代わりにダミーデータを表示して、処理を終了する。
【００４０】
図４と図５を元に、画面表示の動作例を説明する。図４（ａ）には、図８に示すような機密語句テーブル１５の語句が含まれていないので、プロジェクタディスプレイ１３にはデータ内容がそのまま表示される。一方で、図５（ａ）のデータ本体５１には「機密」という語句が含まれている。本実施例は機密語句テーブル１５の単語を検出した場合に表示禁止と判断するので、プロジェクタディスプレイ１３には機密データの代わりにダミーデータが表示される。
【００４１】
以上説明したように本実施例によれば、新たな属性の付加ができないデータであっても機密情報であるかの判定が可能で、より機密情報管理を容易に行なうことが可能となる。
【００４２】
なお、本発明は前述の実施例に限定されることなく、広く応用することができる。
【００４３】
例えば、アンダーラインや色付き文字などの文字修飾された文字データを検索することで、表示禁止するようにしてもよい。機密性を帯びるような重要な語句は文字修飾して強調されることが多いため、これを検出することで、機密保護を図ることができる。
【００４４】
この場合の機密修飾属性の設定画面の例を図９に示す。図中、９０が機密修飾属性の設定画面であり、９１が候補となる修飾属性であり、９２が選択ボタンである。所望の修飾属性９１に対応した選択ボタン９２を押すことで、表示禁止動作を行なうか否かを設定することができる。
【００４５】
【実施例３】
前述の実施例では、表示する情報を検索して、機密を意味する語句が含まれていた場合に機密情報であると判定する例について説明を行なった。しかし、ビットマップデータなど画像イメージの場合には、機密を意味する語句を単純にテキスト検索することはできない。本実施例では、表示する情報をパターンマッチングして、機密を意味する語句やパターンが含まれていた場合に機密情報であると判定する例について説明を行なう。
【００４６】
＜装置全体の構成（図１１、１２）＞
図１１は、本実施例の表示装置の構成を示すブロック図である。本実施例の装置は、実施例１とほぼ同様であるので、同一の要素には同一の番号を付し、説明は省略する。本実施例は、メモリ３の中に、機密を意味するような画像イメージを格納する機密イメージ辞書１６を含む。機密イメージ辞書１６の構成は、図１２に示すとおりである。機密イメージ辞書１６は、「秘密」や「Ｓｅｃｒｅｔ」といったような機密を示す文字の画像イメージデータが格納されている。同時に、１１０のように機密を示すマークや意匠デザインの画像イメージデータが格納されている。
【００４７】
本実施例のパターンマッチングは、ＣＰＵ２が行なう。すなわち、メモリ３からプレゼンデータ１４を読出して領域を切り出し、領域の特徴点を抽出し、機密イメージ辞書１６の特徴点と比較することで行なう。画像認識を行なう専用のハードウェアがあれば、もちろんそれを用いることが可能である。
【００４８】
＜プロジェクタ表示処理の説明（図１０）＞
次に、図１０のフローチャートを用いてプロジェクタ表示処理の流れを説明する。画面送りなどで新たなデータの表示が要求されたときに、データに機密を示す画像イメージが含まれているかをパターンマッチングで判定し、含まれている場合は表示を禁止する、という処理を行なう。
【００４９】
処理の詳細を説明すると、新たな画面の表示が要求された場合に、ステップＳ３０１では、次に表示すべきデータをメモリ３から読み出す。ステップＳ３０２では、読み出した表示データをパターンマッチングして、機密イメージ辞書１６に登録された画像イメージがあるかを検索する。ステップＳ３０３では、機密イメージ辞書１６の画像イメージが含まれていたかを判定し、肯定であればステップＳ３０４へ、否定であればステップＳ３０５へ進む。ステップＳ３０４では、ＬＣＤ１０とプロジェクタディスプレイ１３にデータ本体３３の表示を行なって、処理を終了する。ステップＳ３０５は、データに機密情報が含まれていて表示が許可されない場合の処理である。ここでは、ＬＣＤ１０にデータ本体を表示する一方で、プロジェクタディスプレイ１３には機密データの代わりにダミーデータを表示して、処理を終了する。
【００５０】
図５を用いて動作例を説明すると、データ本体には「機密」という文字イメージが含まれている。本実施例は機密イメージ辞書１６の画像イメージを検出した場合に表示禁止と判断するので、プロジェクタディスプレイ１３には機密データの代わりにダミーデータが表示される。
【００５１】
以上説明したように本実施例によれば、ビットマップデータなど画像イメージの場合であっても機密情報であるかの判定が可能で、より機密情報管理を容易に行なうことが可能となる。
【００５２】
【発明の効果】
以上説明したように本発明によれば、聴衆に表示するデータが機密情報であるかを判定して機密情報であった場合は表示を禁止することで、うっかりと機密文書を表示するといったミスをなくすことができる。これによって、秘密保持を行なう際の使い勝手を向上させることができるという効果がある。
【図面の簡単な説明】
【図１】実施例１における表示判定処理の流れを示すフローチャート
【図２】実施例１における表示装置の概略構成を示すブロック図
【図３】実施例１におけるデータファイルの構成を示す図
【図４】実施例１における機密属性が設定されていないデータの表示例
【図５】実施例１における機密属性が設定されているデータの表示例
【図６】実施例２における表示判定処理の流れを示すフローチャート
【図７】実施例２における表示装置の概略構成を示すブロック図
【図８】実施例２における機密語句テーブルの構成を示す図
【図９】実施例２における機密修飾属性の設定画面の例を示す図
【図１０】実施例３における表示判定処理の流れを示すフローチャート
【図１１】実施例３における表示装置の概略構成を示すブロック図
【図１２】実施例３における機密イメージ辞書の構成を示す図
【符号の説明】
１  携帯情報端末
２  ＣＰＵ
３  メモリ（メモリ部）
４  拡張カード（拡張カードスロット）
５  拡張カードインタフェース
６  通信インタフェース
７  キーボードインタフェース
８  デジタイザ
９  デジタイザ制御部
１０  液晶ディスプレイ（ＬＣＤ）
１１  液晶ディスプレイ表示制御部
１２  プロジェクタ表示制御部
１３  プロジェクタディスプレイ
１４  プレゼンテーション表示用データ（プレゼンデータ）
１５  機密語句テーブル
１６  機密イメージ辞書
３０  データファイル本体
３１  ファイルヘッダ
３２  機密属性
３３  データ本体
４０  ＬＣＤ画面
４１、５１  プレゼンテーションデータ本体
４２、４３、４４  ボタン
５３  解除ボタン
９０  機密修飾属性の設定画面
９１  修飾属性
９２  選択ボタン
【図１】
2004185568.tif 000003
【図２】
2004185568.tif 000004
【図３】
2004185568.tif 000005
【図４】
2004185568.tif 000006
【図５】
2004185568.tif 000007
【図６】
2004185568.tif 000008
【図７】
2004185568.tif 000009
【図８】
2004185568.tif 000010
【図９】
2004185568.tif 000011
【図１０】
2004185568.tif 000012
【図１１】
2004185568.tif 000013
【図１２】
2004185568.tif 000014